(57)【要約】  より大きな感度及び簡単な実現可能性を特徴とする位相検出器及び位相検出方法を実現するために、少なくとも１つの予め決められた期間にわたって、第１の減算器（１２）によって、２つの入力信号（Ｕａ、Ｕｂ）の少なくとも１つの差信号が形成されることができ、この少なくとも１つの差信号の少なくとも１つの最大値が第１のピーク検出器（１６）によって検出されることができ、少なくとも１つの差信号の少なくとも１つの最小値が第２のピーク検出器（１８）によって検出されることができ、第２の減算器によって、少なくとも１つの最大値と少なくとも１つの最小値から少なくとも１つのさらなる差信号（Ｕｏｕｔ）が形成されることができる。
2007505327.tif 000002
【特許請求の範囲】
【請求項１】
位相検出器であって、
第１の減算器によって、少なくとも１つの予め決められた期間にわたって、２つの入力信号の少なくとも１つの差信号が形成されることができ、前記少なくとも１つの差信号の少なくとも１つの最大値が第１のピーク検出器によって検出されることができ、前記少なくとも１つの差信号の少なくとも１つの最小値が第２のピーク検出器によって検出されることができ、第２の減算器によって、前記少なくとも１つの最大値と前記少なくとも１つの最小値から少なくとも１つのさらなる差信号が形成されることができる、位相検出器。
【請求項２】
前記位相検出器は、モノリシック集積化されていることを特徴とする、請求項１に記載の位相検出器。
【請求項３】
前記位相検出器は、スマートカード内に一体化されていることを特徴とする、請求項１及び２のいずれか一項に記載の位相検出器。
【請求項４】
処理されるべき前記信号の少なくとも１つは、電気信号、可聴信号、又は視覚信号などであることを特徴とする、請求項１乃至３のいずれか一項に記載の位相検出器。
【請求項５】
処理されるべき前記信号の少なくとも１つは、フーリエ級数で実質的に表されることができることを特徴とする、請求項１乃至４のいずれか一項に記載の位相検出器。
【請求項６】
位相検出方法であって、
２つの入力信号の少なくとも１つの差信号が、少なくとも１つの予め決められた期間にわたって形成され、前記少なくとも１つの差信号の少なくとも１つの最大値及び少なくとも１つの最小値が検出され、少なくとも１つのさらなる差信号が前記少なくとも１つの最大値と前記少なくとも１つの最小値から形成される、位相検出方法。
【請求項７】
前記少なくとも１つの差の形成は、減算器によって行われることを特徴とする、請求項６に記載の方法。
【請求項８】
前記少なくとも１つの最大値及び／又は前記少なくとも１つの最小値の検出は、ピーク検出器によって行われることを特徴とする、請求項６及び７のいずれか一項に記載の方法。
【請求項９】
処理されるべき前記信号の少なくとも１つは、電気信号、可聴信号、又は視覚信号などであることを特徴とする、請求項６乃至８のいずれか一項に記載の方法。
【請求項１０】
処理されるべき前記信号の少なくとも１つは、フーリエ級数で実質的に表されることができることを特徴とする、請求項６乃至９のいずれか一項に記載の方法。
【発明の詳細な説明】
【技術分野】
【０００１】
本発明は、請求項１乃至６の特徴項に述べられている特徴を有する位相検出器及び位相検出方法に関する。
【背景技術】
【０００２】
位相検出器は、一般に、同じ周波数の周期的な信号における時間シフトを定量化するタスクを実行する。しかし、従来の位相検出器の感度は改善を必要とする。
【発明の開示】
【発明が解決しようとする課題】
【０００３】
したがって、本発明の目的は、より高い感度、及び簡単な実現可能性で特徴付けられる位相検出器及び位相検出方法を提供することである。
【課題を解決するための手段】
【０００４】
この目的は、本発明により、請求項１及び６に述べられている特徴を有する位相検出器及び位相検出方法によって達成される。本発明による位相検出器は、第１の減算器によって、少なくとも１つの予め決められた期間にわたって、２つの入力信号の少なくとも１つの差信号が形成されることができ、少なくとも１つの差信号の少なくとも１つの最大値が第１のピーク検出器によって検出されることができ、少なくとも１つの差信号の少なくとも１つの最小値が第２のピーク検出器によって検出されることができ、第２の減算器によって、少なくとも１つの最大値と少なくとも１つの最小値から少なくとも１つのさらなる差信号が形成されることができることを特徴とする。さらなる差信号の値は、入力信号の位相シフトの大きさの指標である。かかる位相検出器は、より高い感度、及び特に簡単な実現可能性を特徴とする。
【０００５】
本発明の好ましい展開では、位相検出器はモノリシック集積化される。このようにして、さらなる経済的な実行可能性が有利に達成される。
【０００６】
さらに、本発明の好ましい展開では、位相検出器は、スマートカード内に一体化される。これによって、有利には、本発明による位相検出器の多くの異なる応用領域が開かれる。
【０００７】
さらに、本発明の好ましい展開では、処理されるべき信号の少なくとも１つは、電気信号、可聴信号、又は視覚信号などである。このようにして、有利には、特に好ましい特性が達成され、この実施形態は特に多数の可能な応用を特徴とする。
【０００８】
さらに、本発明の好ましい展開では、処理されるべき信号の少なくとも１つは、フーリエ級数で実質的に表されることができる。このようにして、特に有利な、可能な使用法が達成される。
【０００９】
本発明による位相検出の方法は、２つの入力信号の少なくとも１つの差信号が、少なくとも１つの予め決められた期間にわたって形成され、この少なくとも１つの差信号の少なくとも１つの最大値及び少なくとも１つの最小値が検出され、少なくとも１つのさらなる差信号が少なくとも１つの最大値と少なくとも１つの最小値から形成される。さらなる差信号の値は、入力信号の位相シフトの大きさの指標である。この方法は、より高い感度、及び特に簡単な実現可能性を特徴とする。
【００１０】
好ましくは、本発明による方法は、少なくとも１つの差の形成が減算器によって行われることと、また好ましくは、少なくとも１つの最大値及び／又は少なくとも１つの最小値の検出がピーク検出器によって行われることとを特徴とする。これによって、この方法を実施するのが特に簡単になる。
【００１１】
さらに、好ましくは、本発明によるこの方法は、処理されるべき信号の少なくとも１つが、電気信号、可聴信号、又は視覚信号などであることを特徴とする。このようにして、有利には、特に好ましい特性が達成され、この方法は、特に多数の可能な応用を特徴とする。
【００１２】
最後に、好ましくは、本発明によるこの方法は、処理されるべき信号の少なくとも１つをフーリエ級数で実質的に表されることができることを特徴とする。このようにして、特に有利な、可能な応用が達成される。
【００１３】
本発明のさらに好ましい展開は、従属請求項に述べられている残存する特徴によって明らかにされる。
【００１４】
本発明は、図面に示されている実施形態の諸例を参照してさらに説明されるが、本発明はその図面に限定されない。
【発明を実施するための最良の形態】
【００１５】
図は、本発明による位相検出器１００の一実施形態のブロック図を示し、位相検出器１００は、第１の減算器１２、第２の減算器１４、第１のピーク検出器１６、及び第２のピーク検出器１８を備える。減算器１２及び１４、及びピーク検出器１６及び１８はまた、複数の副構成要素で組み立てられることもできる。
【００１６】
同様に、位相検出器１００の複数の構成要素の組合せ、特にマイクロチップ上での、又は既存のマイクロチップ内でのモノリシック集積化などが実現可能である。実質的に同じ周波数の２つの入力信号ＵａとＵｂが、第１の減算器１２によって、時間的に互いに減算される。２つの入力信号ＵａとＵｂの関数の差は、それ自体、最小値及び最大値を有する振動である。これらはさらに互いに除去され、２つの入力信号ＵａとＵｂの位相シフトはいっそう大きくなる。次いで、発生する差信号の最大値は、第１のピーク検出器１６によって検出され、最小値は第２のピーク検出器１８によって検出される。次いで、２つの極値の差が、第２の減算器１４によって形成される。このさらなる差信号Ｕｏｕｔは、入力信号ＵａとＵｂの位相シフトの大きさの指標であり、位相検出器１００の出力信号Ｕｏｕｔを形成する。出力信号Ｕｏｕｔの関数は、入力信号ＵａとＵｂの位相一致の場合の最小値を形成する。位相検出器１００は、−１８０°から＋１８０°までの位相シフトの範囲で使用されることができ、ここで符号識別は行われない。
【図面の簡単な説明】
【００１７】
【図１】本発明の実施の形態による位相検出器１００の構成を示すブロック図である。
【符号の説明】
【００１８】
１００  位相検出器
１２  第１の減算器
１４  第２の減算器
１６  第１のピーク検出器、最大値
１８  第２のピーク検出器、最小値
Ｕａ  入力信号
Ｕｂ  入力信号
Ｕｏｕｔ  さらなる差信号、出力信号
2007505327.tif 000003
【国際調査報告】
2007505327.tif 000004
2007505327.tif 000005
2007505327.tif 000006